(57)【要約】【課題】収容孔の上部に形成されたダンピングホールにより、前記収容孔の内部に投入される可動接点部材が最終位置に近づくとき前記可動接点部材にダンピング力を加えて、最終位置を安定かつ正確に制御することのできる、受配電盤の高速投入スイッチを提供する。【解決手段】受配電盤の高速投入スイッチは、外観を形成するケースと、前記ケースの内部に備えられ、貫通孔を備えた第１電極と、前記貫通孔と対向する収容孔を備えた第２電極と、前記収容孔に投入可能に前記貫通孔に収容された円筒部、及び前記円筒部の一端に形成されたフランジ部を有する可動接点部材と、前記ケースのベースに巻回された投入コイルとを含み、前記第２電極の収容孔にダンピングホールが形成されている。【選択図】図２
2010135323.tif 000002
【特許請求の範囲】
【請求項１】
貫通孔を備えた第１電極と、
前記貫通孔と対向する収容孔を備えた第２電極と、
前記収容孔に投入可能に前記貫通孔に収容された円筒部、及び前記円筒部の一端に形成されたフランジ部を有する可動接点部材と、
前記可動接点部材に反発力を与える投入コイルとを含み、
前記第２電極の収容孔にダンピングホールが形成されていることを特徴とする受配電盤の高速投入スイッチ。
【請求項２】
前記可動接点部材が、投入動作時、前記投入コイルから与えられた反発力により前記収容孔の内部に投入されることを特徴とする請求項１に記載の受配電盤の高速投入スイッチ。
【請求項３】
前記第１電極の一側に開放コイルが巻回されており、開放動作時、前記可動接点部材に反発力を与えることを特徴とする請求項１に記載の受配電盤の高速投入スイッチ。
【請求項４】
前記第１電極、前記第２電極、及び前記可動接点部材を収容し、下部には前記投入コイルが位置するケースをさらに含むことを特徴とする請求項１に記載の受配電盤の高速投入スイッチ。
【請求項５】
前記可動接点部材の円筒部が中空であり、前記ケースのベースに、前記円筒部の中空に挿入されて前記円筒部の移動をガイドするガイド部材が備えられていることを特徴とする請求項４に記載の受配電盤の高速投入スイッチ。
【請求項６】
前記第２電極の収容孔の内径は、中間部より下部が大きいことを特徴とする請求項１に記載の受配電盤の高速投入スイッチ。
【請求項７】
前記第１電極の貫通孔の内周面及び前記第２電極の収容孔の内周面に、それぞれ前記可動接触部材と接触する接触要素が形成されていることを特徴とする請求項１に記載の受配電盤の高速投入スイッチ。
【請求項８】
前記接触要素が、前記貫通孔の内周面に形成された螺旋状溝間の突起部であることを特徴とする請求項７に記載の受配電盤の高速投入スイッチ。
【請求項９】
前記接触要素が、前記貫通孔の内周面に形成された螺旋状溝に取り付けられたスプリングであることを特徴とする請求項７に記載の受配電盤の高速投入スイッチ。
【請求項１０】
内周面の一側に前記第１電極が結合され、他側が前記ケースのベースに結合されたパイプをさらに含むことを特徴とする請求項４に記載の受配電盤の高速投入スイッチ。
【請求項１１】
前記ダンピングホールが、前記第２電極の収容孔の上部に半径方向に形成されていることを特徴とする請求項１に記載の受配電盤の高速投入スイッチ。
【請求項１２】
前記ダンピングホールが、放射状に複数形成されていることを特徴とする請求項１１に記載の受配電盤の高速投入スイッチ。
【請求項１３】
前記第１電極が接地側に接続され、前記第２電極が高電圧側に接続されていることを特徴とする請求項１に記載の受配電盤の高速投入スイッチ。
【請求項１４】
前記ケースの内部が不活性ガスで充填されて外部から密閉されていることを特徴とする請求項４に記載の受配電盤の高速投入スイッチ。
【請求項１５】
前記不活性ガスが、ＳＦ6、Ｎ2、又は水分を除去した空気を含むことを特徴とする請求項１４に記載の受配電盤の高速投入スイッチ。
【請求項１６】
第１電極と第２電極を通電するために、前記第２電極に形成された収容孔に前記第１電極が投入され、投入時、前記収容孔内部のガスが前記収容孔に形成されたダンピングホールから流出することを特徴とする受配電盤の高速投入スイッチ。
【請求項１７】
前記第１電極が、前記第１電極と前記第１電極の下部に位置するコイル間の反発力により、前記収容孔に投入されることを特徴とする請求項１６に記載の受配電盤の高速投入スイッチ。
【発明の詳細な説明】
【技術分野】
【０００１】
本発明は、受配電盤の内部で高速で投入されて線路を開閉する遮断器スイッチに関し、特に、受配電盤のアーク事故時に直ちに高電圧電源を接地側に高速で投入して事故電流を迂回させることにより、受配電盤のアーク事故による被害を最小限に抑える高速投入スイッチに関する。
【背景技術】
【０００２】
一般に、受配電盤は、電力の供給を受けてそれぞれの電力需要家に設置された負荷設備で要求される電力を供給するために、特高圧の電力を低圧に変換して分配する設備であり、通常、内部には開閉器、避雷器、変圧器、遮断器、及び各種計測装置などが備えられている。
【０００３】
このような受配電盤の内部に備えられた遮断器は、線路を開閉したり、短絡などの事故が発生した場合に電流を遮断する機器であって、短絡などの異常状態だけでなく、正常状態でも必要に応じて線路を開閉して電力系統を安全に保護する。このような遮断器は、内部の絶縁状態を維持するために、通常、優れた絶縁特性を有する無味、無臭、無毒の不活性絶縁ガスであるＳＦ6が充填されたタンク型金属容器の内部に絶縁物で絶縁された遮断部を構成する。
【０００４】
ところが、受配電盤の回路内部でアークが発生すると、アークの高温高圧により各種計測装置などの内部機器が破損することがあり、場合によっては、絶縁が破壊されてこれに接触した使用者にも被害が発生する危険性があるので、これに対処できるアーク対策が重要である。しかしながら、受配電盤の内部でアークが発生した場合、遮断器により事故電流を遮断して解決することは、アークの速度に比べて遮断器のトリップ速度が十分でないため、効果的でない。
【０００５】
受配電盤で使用されるほとんどの耐アーク構造においては、内部の圧力を排出する通路を設置してアークにより高まった圧力を下げたり、構造物の機械的強度を強化して構造的にアーク事故による温度及び圧力の上昇に耐えるようにする方式を用いており、又は専用アーク遮断装置を使用してアークの発生に備えている。
【発明の概要】
【発明が解決しようとする課題】
【０００６】
しかし、アークは発生後非常に短時間で最高の温度と圧力に達するが、前記従来の方式はこのようなアークの速度に効果的に対応できないという問題があった。
【０００７】
また、アークの速度に合わせて高速のアーク遮断装置を使用する場合は、遮断装置の移動部がアークの速度に対応するために高速で移動しなければならない。しかし、移動部の最終位置では移動部の移動速度を下げて衝撃を緩和し、位置を適切に制御しなければならないにもかかわらず、遮断装置の移動部が高速で移動するため、移動部の最終速度を下げることが困難であり、従って、移動部の最終位置を制御することが困難になるという問題があった。
【０００８】
本発明は、このような問題を解決するためになされたもので、受配電盤の内部で発生するアークに対応して、これを迅速に除去できる高速投入スイッチを提供することを目的とする。
【０００９】
本発明の他の目的は、スイッチの可動部が高速で移動し、かつ可動部の最終位置で効果的に位置を制御できる手段を提供することにある。
【課題を解決するための手段】
【００１０】
上記の目的を達成するために、本発明は、外観を形成するケースと、前記ケースの内部に備えられ、貫通孔を備えた第１電極と、前記貫通孔と対向する収容孔を備えた第２電極と、前記収容孔に投入可能に前記貫通孔に収容された円筒部、及び前記円筒部の一端に形成されたフランジ部を有する可動接点部材と、前記ケースのベースに巻回された投入コイルとを含み、前記第２電極の収容孔にダンピングホールが形成されている、受配電盤の高速投入スイッチを提供する。
【００１１】
前記収容孔に形成されたダンピングホールの構成により、前記収容孔の内部に投入される可動接点部材が最終位置に近づくとき前記可動接点部材にダンピング力を加えて、最終位置を安定かつ正確に制御することができる。
【００１２】
また、本発明は、前記可動接点部材が、投入動作時、前記投入コイルから与えられた反発力により前記収容孔の内部に投入される、受配電盤の高速投入スイッチを提供する。
【００１３】
さらに、本発明は、前記第１電極の一側に開放コイルが巻回されており、開放動作時、前記可動接点部材に反発力を与える、受配電盤の高速投入スイッチを提供する。
【００１４】
さらに、本発明は、前記可動接点部材の円筒部が中空であり、前記ケースのベースに、前記円筒部の中空に挿入されて前記円筒部の移動をガイドするガイド部材が備えられている、受配電盤の高速投入スイッチを提供する。
【００１５】
さらに、本発明は、前記第１電極の貫通孔の内周面及び前記第２電極の収容孔の内周面に、それぞれ前記可動接触部材と接触する接触要素が形成されている、受配電盤の高速投入スイッチを提供し、前記接触要素が、前記貫通孔の内周面に形成された螺旋状溝間の突起部であるか、又は前記貫通孔の内周面に形成された螺旋状溝に取り付けられたスプリングである、受配電盤の高速投入スイッチを提供する。
【００１６】
さらに、本発明は、内周面の一側に前記第１電極が結合され、他側が前記ケースのベースに結合されたパイプをさらに含む、受配電盤の高速投入スイッチを提供する。
【００１７】
さらに、本発明の前記ダンピングホールは、前記第２電極の収容孔の上部に半径方向に形成されており、１つ又は複数で構成される。前記ダンピングホールが複数からなる場合は、前記収容孔の上部に半径方向に放射状に形成される、受配電盤の高速投入スイッチを提供する。
【００１８】
さらに、本発明は、前記第１電極が接地側に接続され、前記第２電極が高電圧側に接続されている、受配電盤の高速投入スイッチを提供する。
【００１９】
さらに、本発明は、前記ケースの内部が不活性ガスで充填されて外部から密閉されており、前記不活性ガスがＳＦ6、Ｎ2、又は水分を除去した空気を含む、受配電盤の高速投入スイッチを提供する。
【００２０】
本発明は、第１電極と第２電極を通電するために、前記第２電極に形成された収容孔に前記第１電極が投入され、投入時、前記収容孔内部のガスが前記収容孔に形成されたダンピングホールから流出する、受配電盤の高速投入スイッチを提供する。
【００２１】
また、本発明は、前記第２電極が、前記第２電極と前記第２電極の下部に位置するコイル間の反発力により、前記収容孔に投入される、受配電盤の高速投入スイッチを提供する。
【発明の効果】
【００２２】
本発明は、受配電盤の内部で発生するアークに対応するために、専用の高速投入スイッチを備えることにより、高速投入スイッチ自体の構造的形状とケース内の絶縁ガスを利用して、可動部の最終位置での位置制御に効果的なダンパー性能を実現する。また、高速投入時に発生する衝撃をケース内部のガスが吸収することにより、高速投入スイッチの突然の動作を停止させるときに発生する騒音や衝撃が減少するという効果がある。従って、本発明の高速投入スイッチは、可動部の自然な最終位置制御が可能な高速投入接地スイッチを実現する。
【図面の簡単な説明】
【００２３】
【図１】本発明の一実施形態による受配電盤の全体的な概要図である。
【図２】図１の高速投入スイッチの断面図である。
【図３】図２の第１電極及び可動接点部材の詳細断面図である。
【図４Ａ】図２の第２電極の詳細断面図である。
【図４Ｂ】図４Ａの平面図である。
【図４Ｃ】本発明の一実施形態による第２電極の変形例を示す平面図である。
【図５】図２の高速投入スイッチの開放状態を示す図である。
【図６】図２の高速投入スイッチの投入状態を示す図である。
【図７】本発明の他の実施形態による高速投入スイッチの断面図である。
【発明を実施するための形態】
【００２４】
以下、添付図面を参照して本発明による受配電盤の高速投入スイッチを詳細に説明する。
【００２５】
図１は、本発明の一実施形態による受配電盤の全体的な概要図である。図１に示すように、受配電盤１は、内部にアーク消弧システム２、変圧器３、主遮断器４、電流センサ５、第１遮断器６、第２遮断器７などを含み、さらに本発明による高速投入スイッチ１００を含む。
【００２６】
受配電盤１で発生するアークに対処するためには、受配電盤１の制御システム（図示せず）が内部で発生したアークを感知すると、主遮断器４にトリップ信号を送出すると同時に、専用の高速投入スイッチ１００を動作させる。すると、高速投入スイッチ１００は、アーク事故電流を接地側に迂回させることにより、受配電盤１の内部におけるアークにより発生し得る被害を最小限に抑える。その後、主遮断器４が事故電流を遮断することにより、事故を完全に解決すると共に受配電盤１も保護する。
【００２７】
また、アーク事故であるか否かを判断するために、受配電盤１の内部には発生したアークから放出される光を受光する受光センサを設置して、アーク事故発生時、前記受光センサが感知した光信号を前記制御システムに伝送するか、又は受配電盤１の内部に備えられた電流センサからの過電流信号を前記制御システムに伝送し、前記制御システムは前記条件に基づいてアーク事故であるか否かを判断する。また、前記２つの信号を同時に伝送してアーク事故であるか否かを判断するようにしてもよい。
【００２８】
アーク事故発生時、前記制御システムから主遮断器４に信号が伝送されるが、主遮断器４は作動に要する時間が約５０ｍｓと比較的長いためアーク事故に迅速に対応できず、従って、より速い速度で反応する専用の高速投入スイッチが必要である。すなわち、アークは発生後約１０〜１５ｍｓで最高の温度（２０，０００Ｋ）と圧力（２×１０５Ｐａ）に達するので、通常、アークの発生から接地まで５ｍｓ以内に事故の判断と投入動作を全て完了することのできる専用の高速投入スイッチが必要である。
【００２９】
図２〜図６は、本発明の一実施形態による高速投入スイッチを示すもので、高速の瞬間的な動作を得るために電磁反発力を利用する反発板（トムソンコイル）を使用した高速投入スイッチを示す。図２は図１の高速投入スイッチの断面図であり、図３は図２の第１電極及び可動接点部材の詳細断面図であり、図４Ａは図２の第２電極の詳細断面図であり、図４Ｂは図４Ａの平面図であり、図４Ｃは本発明の一実施形態による第２電極の変形例を示す平面図であり、図５は図２の高速投入スイッチの開放状態を示す図であり、図６は図２の高速投入スイッチの投入状態を示す図である。
【００３０】
図２に示すように、本発明の一実施形態による高速投入スイッチ１００は、外観を形成するケース２００の内部に第１電極１０を備え、第１電極１０に対向して第１電極１０の上側に第２電極２０を備えている。第１電極１０は、内部に貫通孔１４を備え、第２電極２０は、貫通孔１４と対向する収容孔２４を備えている。
【００３１】
また、高速投入スイッチ１００は、第１電極１０の貫通孔１４の内部に上下に移動可能に収容された可動接点部材３０を備えている。可動接点部材３０が上方に移動して第２電極２０の収容孔２４に収容されると、可動接点部材３０の外周面と貫通孔１４の内周面とが接し、かつ可動接点部材３０の外周面と収容孔２４の内周面とが接して、第１電極１０と第２電極２０とは電気的に通電する。
【００３２】
このために、可動接点部材３０は、収容孔２４に投入可能に貫通孔１４に収容された円筒部３１と、円筒部３１の下側に形成されたフランジ部３３とを含む。また、可動接点部材３０のフランジ部３３の下側には、ケース２００のベース６０上に巻回された投入コイル８０が位置する。アーク事故発生時、パルス電流が投入コイル８０に流れると、投入コイル８０の周辺には様々な磁界が形成される。この磁界は可動接点部材３０のフランジ部３３に渦電流を発生させ、さらにこの渦電流は磁界を形成するが、これら２つの磁界が互いに反対方向に形成されて、投入コイル８０とフランジ部３３間には強い反発力が形成される。この反発力により、ベース６０に巻回された投入コイル８０からフランジ部３３を上方に押す強い力が瞬間的に発生することによって、可動接点部材３０が瞬間的に速い速度で上方に移動して第２電極２０の収容孔２４の内部に投入される。このように、投入コイル８０との間に発生する強い反発力により可動接点部材３０が第２電極２０の収容孔２４に投入される動作を、以下では「投入動作」という。
【００３３】
前記投入動作時、可動接点部材３０は強い反発力により高速で移動するため、可動接点部材３０が第２電極２０の収容孔２４に投入された後、ケース２００などに衝撃を加えることなく、可動接点部材３０の運動エネルギーが吸収されて適切な位置に正確に停止するようにすべきであるが、このために本発明の一実施形態では、第２電極２０の収容孔２４にオリフィスの役割を果たすダンピングホール９０を形成している。
【００３４】
図４Ａ〜図４Ｃを参照すると、ダンピングホール９０は、第２電極２０の収容孔２４の上部から上方に垂直に形成されてもよいが、収容孔２４の上部に半径方向に形成されることが好ましく、１つ又は複数で構成される。ダンピングホール９０が複数からなる場合は、収容孔２４の上部に半径方向に放射状に形成されることが好ましい。可動接点部材３０にダンピング力を与えるためのダンピングホール９０の適切な大きさは、収容孔２４及び可動接点部材３０の形状や大きさを考慮して決定すべきであるが、十分なダンピング力を与えるために、ダンピングホール９０の直径は十分に小さくなければならない。
【００３５】
好ましくは、第２電極２０の収容孔２４下部の内径は可動接点部材３０の円筒部３１の外径より大きく形成することにより、可動接点部材３０が投入される初期は、圧縮ガスによるダンピング力が発生せず、可動接点部材３０の円筒部３１の上部が収容孔２４の内周面に接触すると、その瞬間からは電気的接触の役割が完了したので機械的なダンピング力が発生し始めるようにする。すなわち、第２電極２０収容孔２４は、内周面の直径が下部で若干増加するように形成する。
【００３６】
ダンピングホール９０によりダンピング力が作用する過程は次の通りである。まず、前記投入動作で可動接点部材３０が前記反発力により上方に移動して収容孔２４に投入され始めると、収容孔２４内部のガスによりダンピング力が発揮され始める。すなわち、可動接点部材３０の上部が収容孔２４に投入されると、可動接点部材３０の上端が収容孔２４の下部を閉塞し、収容孔２４内部のガスは、可動接点部材３０の外周面と収容孔２４の内周面間の間隙及びダンピングホール９０からのみ流出する。ここで、前記間隙及びダンピングホール９０の大きさを十分に小さくした場合、収容孔２４内部のガスは可動接点部材３０が投入されることによって圧縮されるが、流出する量はわずかであるため、収容孔２４内部のガス圧力が高くなる。
【００３７】
この収容孔２４内部のガス圧力は収容孔２４の内部に投入される可動接点部材３０に抵抗力として作用して、可動接点部材３０の運動エネルギーを吸収し、ダンピング効果が発生する。すなわち、本発明においては、可動接点部材３０を棒状にすることで、第２電極２０の内部に可動接点部材３０が挿入されるとき、密封されたガスが小さい排出通路から排出されるために発生する流体抵抗により、最終位置で速度を下げることができる。
【００３８】
また、第１電極１０と第２電極２０は、いずれか一方が接地側に接続され、他方は高電圧側に接続されており、受配電盤１の内部にアークが発生すると、前記投入動作により可動接点部材３０が第１電極１０と第２電極２０を通電することによって、発生したアークを接地側に接続する。
【００３９】
可動接点部材３０は、質量の減少による速度向上のために、円筒部３１が中空となっており、円筒部３１の内部には、可動接点部材３０の移動をガイドするガイド部材３５が備えられる。ガイド部材３５は、ケース２００のベース６０から上方に延びた円筒状であり、可動接点部材３０の円筒部３１の中空３２に挿入されて円筒部３１の移動をガイドする。ガイド部材３０の垂直長さは、投入動作時、可動接点部材３０の上方への移動をガイドできるように、十分な長さを有するようにしなければならない。
【００４０】
また、投入動作によりアークの発生による事故電流の迂回が完了した後には、再び開放状態に戻らなければならないが、このために、投入コイル８０から与えられた反発力により収容孔２４の内部に投入された可動接点部材３０を元の位置に開放させることができるように、第１電極１０の下側には開放コイル７０が巻回されている。すなわち、開放コイル７０と可動接点部材３０のフランジ部３３の反発力により可動接点部材３０は元の位置に戻るが、この動作を以下では「開放動作」という。
【００４１】
前記投入動作により可動接点部材３０が第２電極２０の収容孔２４の内部に投入されると、可動接点部材３０のフランジ部３３は第１電極１０の下部に位置するが、第１電極１０の下部には開放コイル７０が巻回されており、開放コイル７０に電流を加えてフランジ部３３に反発力を与えることにより、可動接点部材３０を下方に移動させる。前記反発力の発生原理については、前記投入動作時と同様であるので、具体的な説明は省略する。
【００４２】
また、本発明の一実施形態による高速投入スイッチ１００においては、第１電極１０の貫通孔１４の内周面及び第２電極２０の収容孔２４の内周面に、それぞれ可動接触部材３０に接触させて電気的な通電を行うための接触要素が形成されている。すなわち、第１電極１０の貫通孔１４の内周面には螺旋状に形成された第１溝１１が形成され、第１溝１１間には第１突起１２が形成されており、第２電極２０の収容孔２４の内周面には螺旋状に形成された第２溝２１が形成され、第２溝２１間には第２突起２２が形成されている。可動接点部材３０の外周面は、第１突起１２又は第２突起２２と接触することにより、第１電極１０及び第２電極２０と電気的な通電が行われる。
【００４３】
また、ケース２００の内部には、第１電極１０を囲むようにパイプ４０が備えられる。パイプ４０は、ほぼ中空円筒状であり、中空の内周面の上部に第１電極１０が結合され、パイプ４０の下部はケース２００のベース６０に結合されている。パイプ４０は、第１電極１０を囲んで保護すると共に、導体からなり、導体の役割を果たす。
【００４４】
さらに、ケース２００の内部は、不活性ガスで充填されてケース２００の外部から密閉されており、ケース２００の内部に充填された不活性ガスは、ＳＦ6、Ｎ2、又は水分を除去した空気からなることが好ましい。
【００４５】
以上、第１電極１０、第２電極２０、及び可動接点部材３０がそれぞれ別個の部材で製作されて結合された構成について説明したが、他の実施形態ではいずれか１つの部材を他の部材と一体に形成してもよい。例えば、第１電極１０と可動接点部材３０を一体に形成して、投入コイル８０との間に発生する反発力により投入動作を行うこともできる。すなわち、この場合は、第１電極１０が可動接点部材３０の役割を同時に果たす。
【００４６】
図７は、本発明の他の実施形態による高速投入スイッチの断面図であり、本発明の一実施形態とは接触要素の構成が異なる。すなわち、本実施形態では、第１電極１０の貫通孔１４の内周面には螺旋状に形成された第１溝１１が形成され、第１溝１１には第１スプリング１３が取り付けられており、第２電極２０の収容孔２４の内周面には螺旋状に形成された第２溝２１が形成され、第２溝２１には第２スプリング２３が取り付けられている。可動接点部材３０の外周面は、第１スプリング１３及び第２スプリング２３と接触することにより、第１電極１０及び第２電極２０と電気的な通電が行われる。
【００４７】
本実施形態によれば、本発明の受配電盤は、アークからシステムを保護するために、専用の高速投入スイッチを備え、第１電極、第２電極、可動接点部材、及び可動接点部材の反発のためのコイルなどを１つの空間で一体化し、特に、可動接点部材が駆動される初期は非常に大きな反発力で移動するが、その後は可動接点部材及び第２電極での可動接点部材が収容される収容部の形状を利用して最終速度を下げて衝撃を緩和することにより、可動接点部材の最終位置制御を容易にすることを特徴とする。
【符号の説明】
【００４８】
１    受配電盤
２    アーク消弧システム
３    変圧器
４    主遮断器
５    電流センサ
６    第１遮断器
７    第２遮断器
１０    第１電極
１１    第１溝
１２    第１突起
１３    第１スプリング
１４    貫通孔
２０    第２電極
２１    第２溝
２２    第２突起
２３    第２スプリング
２４    収容孔
３０    可動接点部材
３１    円筒部
３２    中空
３３    フランジ部
３５    ガイド部材
４０    パイプ
５０    カバー
６０    ベース
７０    開放コイル
８０    投入コイル
９０    ダンピングホール
１００    高速投入スイッチ
【図１】
2010135323.tif 000003
【図２】
2010135323.tif 000004
【図３】
2010135323.tif 000005
【図４Ａ】
2010135323.tif 000006
【図４Ｂ】
2010135323.tif 000007
【図４Ｃ】
2010135323.tif 000008
【図５】
2010135323.tif 000009
【図６】
2010135323.tif 000010
【図７】
2010135323.tif 000011